(57)【特許請求の範囲】
【請求項１】
トロヨケ１１のボックス部１３に形成された左右の垂直案内部２１に案内され、かつ、鎌片３の鉤状先端部３ａを受ける受面３４を有するブロック状の昇降動掛合片３０と、この昇降動掛合片３０を受板７の開口窓９側へ付勢する第１バネ４５と、昇降動掛合片３０を受板７の内壁面７ａから多少離れるようにトロヨケ１１の垂直底壁１４側に常時付勢する第２バネ４８とから成り、閉戸時に前記第１及び第２バネがそれぞれ弾性変形した状態で鎌片が昇降動掛合片３０に完全掛合した場合に、昇降動掛合片３０に設けた当接係合歯４２が、トロヨケ１１の前記垂直案内部２１に設けた連続的係合歯２３に係合することを特徴とする鎌錠用受金具のガタツキ防止機構。
【請求項２】
請求項１に於いて、昇降動掛合片３０の受面３４は、鎌片３の鉤状先端部３ａに対して傾斜状に形成されていることを特徴とする鎌錠用受金具のガタツキ防止機構。
【請求項３】
請求項１に於いて、昇降動掛合片３０の左右の側壁３２に、当接係合歯４２を有する係合板４１が固定されていることを特徴とする鎌錠用受金具のガタツキ防止機構。
【請求項４】
請求項１に於いて、第２バネ４８は板バネであり、中央部がブロック状昇降動掛合片３０の前壁３５に形成した切欠凹所状の嵌合部３６に一体的に嵌め込まれていることを特徴とする鎌錠用受金具のガタツキ防止機構。
【発明の詳細な説明】
【０００１】
【発明の属する技術分野】
本発明は、鎌錠用受金具のガタツキ防止機構に適合する。
【０００２】
【従来の技術】
この種の技術分野に於いては、例えば実開平３−３０５２８号がある。この公報にも記述されているように、戸枠に対して閉める一般的な引戸であれ、互いに端部が対向するように閉める引き違い戸であれ、戸枠側の受金具の受板や対向端部面に多少の間隙が生じるように考慮されている。特に前者の場合に於いて、戸枠側受金具のストライク前面と、引戸側鎌錠本体のフロント前面との間には、業界では「チリ」と称して１ｍｍ、３ｍｍ、５ｍｍなどの間隙を設定する場合がある。また引戸は長期間使用すると、建て付けが緩んだり、或いは戸車の磨耗によりある程度のガタが生じる場合がある。このような場合を想定して、閉戸時に引戸の上下方向並びに引戸の開く方向の「ガタ」を防止することが要望されている。
【０００３】
【発明が解決しようとする課題】
本発明は以上のような従来の要望点に鑑み、第１の目的は、特に正規の建て付け状態であっても、引戸の開き方向のガタツキを小さくすることができることである。また、取付け時のガタ、長期間使用によるガタなどに対して対処することができることである。第２の目的は、鎌片の掛合時にガタの設定ないし誤差をスムースに吸収することができることである。第３の目的は、各構成部品を合理的に組合わせることである。
【０００４】
【課題を解決するための手段】
本発明の鎌錠用受金具のガタツキ防止機構は、トロヨケ１１のボックス部１３に形成された左右の垂直案内部２１に案内され、かつ、鎌片３の鉤状先端部３ａを受ける受面３４を有するブロック状の昇降動掛合片３０と、この昇降動掛合片３０を受板７の開口窓９側へ付勢する第１バネ４５と、昇降動掛合片３０を受板７の内壁面７ａから多少離れるようにトロヨケ１１の垂直底壁１４側に常時付勢する第２バネ４８とから成り、閉戸時に前記第１及び第２バネがそれぞれ弾性変形した状態で鎌片が昇降動掛合片３０に完全掛合した場合に、昇降動掛合片３０に設けた当接係合歯４２が、トロヨケ１１の前記垂直案内部２１に設けた連続的係合歯２３に係合することを特徴とする。
【０００５】
【発明の実施の形態】
図１は実施形態の一例を概略的に示す。ここで、実施形態の環境を簡単に説明する。１は引戸である。２は引戸１の開閉側端部の凹所に装着された鎌錠本体の錠ケースてある。３は錠ケース２に固定軸４を介して軸支された鎌片である。鎌片３は錠ケース２に出入り自在に設けられている。なお、鎌錠（本体）の錠ケース２には、鎌片２を受金具側に送出す機構、仮施錠機構、本施錠機構などが設けられているが、本発明の特定要件ではないので省略する。
【０００６】
次に５は戸枠で、例えばこの戸枠５に形成した凹所内に本発明のガタツキ防止部材（機構）内装の鎌錠用受金具Ｘが取付けられている。鎌錠用受金具Ｘは、引戸１を閉めた際に鎌錠と対向し、受金具Ｘの受板の裏面側にその鎌片３が間接的に掛合状態になる。
【０００７】
まず、図２乃至図４を参照に主たる構成部材について説明する。７は普通一般にストライクと称される長板状の受板で、この受板７の上下端部には、図３及び図４に示すように一対の取付け孔８，８が形成されている。９は受板７の下端部寄りの部位に形成された開口窓で、この開口窓９から鎌片３の鉤状先端部３ａが入り込む。１０は前記取付け孔付近に形成された上下一対のネジ孔で、これらのネジ孔１０，１０は、トロヨケ１１の貫通小孔１２と符合する。
【０００８】
トロヨケ１１の全体的な形状は、普通一般のトロヨケのそれと略同様である。すなわち、１３は戸枠５に形成した凹所内に入り込むチャンネル形状（前面開放状態）のボックス部である。この前面開口のボックス部１３の各壁部をさらに説明すると、１４は受板７と対向する垂直底壁、１５は垂直底壁の上下端部側をそれぞれ対向状態に折り曲げ形成して出来た上下壁、１６はこれらの上下壁１５，１５対する左右の側壁である。
【０００９】
そして、１７は前記上下壁１５，１５の端部を垂直方向にそれぞれ折り曲げて形成した上下の取付用突壁で、これらの突壁１７，１７には、トロヨケ１１と受板７とを一体化するための第１固着具１８用の貫通小孔１２，１２や受板の取付け孔８，８と符合するやや大きめの貫通孔１９，１９がそれぞれ形成されている。符合２０は第２の固着具である。
【００１０】
しかしながら、本発明のトロヨケ１１は、普通一般のトロヨケとは、左右一対の垂直案内部に連続的な係合歯を有する点で異なる。すなわち、２１はボックス部１３の左右の側壁１６，１６にそれぞれ形成された窓状垂直案内部で、これらの窓状垂直案内部２１，２１を形成する受板７側の縦長辺２２，２２には、左右一対の連続的係合歯２３，２３がそれぞれ縦方向に形成されている。本実施例では、左右の連続的係合歯２３，２３は、縦長辺２２の上端部寄りの部位からその下端に至るまで波状に連続形成されている。
【００１１】
次に受金具Ｘ内に組込まれる引戸のガタツキ防止部材Ｙについて説明する。本発明の引戸用ガタツキ防止部材Ｙは、図５で示すように鎌片３の鉤状先端部３ａを受ける傾斜状受面を有するブロック状の昇降動掛合片３０と、この昇降動掛合片３０に固定的に設けられた左右一対の細長状係合板４１と、前記昇降動掛合片３０を受板７の開口窓９側（例えば下方）へ常時付勢する第１バネ４５と、同じく昇降動掛合片３０を受板７の内壁面７ａから多少離れるようにトロヨケ１１の垂直底壁１４側に常時付勢する第２バネ４８とから成る。そこで、以下、これらの構成部品について順番に説明する。
【００１２】
「昇降動掛合片３０」…このブロック状昇降動掛合片３０は、図４で示すように短い角柱状部分３０ａと、この短い角柱状部分３０ａの下面中程から下方に連設形成された指先状部分３０ｂとから成る。
【００１３】
しかして、図５で示すように前記短い角柱状部分３０ａの上壁３１は第１バネ４５の下端部が圧接する平坦面をしており、また短い角柱状部分３０ａの左右の側壁３２には、細長状係合板４１をカシメ固定するための取付穴３３が複数個形成されている。一方、前記指先状部分３０ｂの下面は、本実施例では閉戸時に鎌片３の鉤状先端部３ａを受ける傾斜状受面３４と成っている。さらに、昇降動掛合片３０の受板７の内壁面７ａと対向する前壁３５には、前記上壁３１の縁辺から適当な部位まで縦方向に凹所状に切欠した第２バネ４８用の嵌合部３６が設けられている。そして、嵌合部３６の内壁面３６ａの適宜部位には、係合部としての係合小突起３７が形成されている。
【００１４】
「係合板４１」…左右一対の細長状係合板４１は、昇降動掛合片３０の短い角柱状部分３０ａの左右側壁３２，３２にそれぞれカシメ固定されている。しかして、細長状係合板４１の下端部には、トロヨケ１１の前述した連続的係合歯２３と係脱可能な当接係合歯４２が形成されている。また適宜部位にカシメ固定用取付孔４３が形成されている。なお、４４は棒状の鋲体である。
【００１５】
「第１バネ４５」…第１バネ４５は、圧縮コイルばねが採用され、ボックスブ１３の上壁１５の下面と昇降動掛合片３０の上壁３１との間に介在する。
【００１６】
「第２バネ４８」…第２バネ４８は、板バネが採用され、昇降動掛合片３０の前壁３５と受金具Ｘの受板７の内壁面７ａとの間に介在する。図６を参照に第２バネ４８の形状について説明する。板バネ４８は全体として断面「ヒゲ状」に形成され、その垂直状突起中央部４９には、昇降動掛合片３０の係合小突起３７と係合する被係合部としての小係合孔５０が形成されている。そして、前記垂直状突起中央部４９の上下には、傾斜状部分５１，５１がそれぞれ連設し、これらの上下の傾斜状部分５１，５１には、端部を適宜に折曲げた垂直状スライド部分５２，５２が連設している。
【００１７】
最後に作用について説明する。図２で示すように、鎌片３の先端部３ａが受金具Ｘに入り込む前は、昇降動掛合片３０は第１バネ４５により下方に付勢されているので、昇降動掛合片と一体の係合板４１の下端面は、トロヨケ１１の窓状垂直案内部２１を形成する下辺に当接している。また、昇降動掛合片３０は第２バネ４８によりトロヨケ１１の垂直底壁１４側に押されているので、係合板４１の当接係合歯４２は、トロヨケ１１の連続的係合歯２５から離れている。
【００１８】
そこで、今仮に図７で示すように引戸１を閉めた場合に於いて、鎌片３の先端部３ａが受金具Ｘの開口窓１０から入り込み、昇降動掛合片３０の傾斜状受面３４に完全に係合したとする。この場合図６で示すように、昇降動掛合片３０は、鎌片３の先端部３ａと昇降動掛合片３０の傾斜状受面３４との当接ないし摺動関係により、トロヨケ１１の窓状垂直案内部２１をスライドする一対の係合板４１を介し、かつ、第１バネ４５のバネ力に抗して上昇すると共に、鎌片の押圧作用によりやや傾倒状態となる。この時係合板４１の当接係合歯４２は、トロヨケ１１の連続的係合歯２５に係合する。また第２バネ４８は前記当接係合歯４２が連続的係合歯２５に噛合うように弾性的な働きをする（板バネの弾性変形機能）。この閉戸時における鎌片と引戸のガタツキ防止部材Ｙとの関係を示したのが図１である。なお、鎌片３が昇降動掛合片３０から離れると、第１パネ４５並びに第２バネ４８は、それぞれ弾性復帰変形機能を発揮するので、昇降動掛合片３０は、図２、図６で示すように初期状態に戻る。
【００１９】
【実施例】
本実施例に於いて、昇降動掛合片３０と、係合片４１とをそれぞれ別体に形成し、係合片４１を昇降動掛合片３０の側壁３２にカシメ固定しているが、昇降動掛合片３０の側壁に当接係合歯４２を有する係合突起４１を形成しても良い。
【００２０】
また、昇降動掛合片３０の前壁３５に第２バネ用の嵌合凹所３６を形成してあるが、嵌合凹所を形成せず、単なる垂直状態の前壁３５に第２バネ用を一体的に取り付けても良い。
【００２１】
【発明の効果】
以上の説明から明らかなように、本発明にあっては、次に列挙するような効果がある。
（１）所望のチリを設定した場合のガタ、取付け時のガタ、長期間使用によるガタなどに対して対処することができる。
（２）鎌片の掛合時にガタの設定ないし誤差をスムースに吸収することができる。
（３）各構成部品を合理的に組合わせることができる。
【図面の簡単な説明】
図１乃至図７は本発明の一実施例を示す各説明図。
【図１】発明の実施形態の一例を示す概略説明図。
【図２】右側面からの説明図。
【図３】全体の分解斜視図。
【図４】受金具の分解斜視図。
【図５】ガタツキ防止部材の斜視図。
【図６】主要部の作動状態を示す概略説明図。
【図７】閉戸時の一例を示す概略説明図。
【符号の説明】
Ｘ…受金具、Ｙ…ガタツキ防止部材、１…引戸、２…錠ケース、３…鎌片、４…固定軸、７…受板、７ａ…内壁面、９…開口窓、１１…トロヨケ、１２…貫通小孔、１３…ボックス部、１４…垂直底壁、１５…上下壁、１６…左右の側壁、１７…上下の突壁、１８，２０…固着具、２１…垂直状案内部、２３…連続的係合歯、３０…昇降動掛合片、３１…上壁、３２…左右の側壁、３３…取付穴、３４…受面、３５…前壁、３６…嵌合部、３７…係合部、４１…係合板、４２…当接係合歯、４３…取付孔、４５…第１バネ、４８…第２バネ、４９…中央部、５０…被係合部。
【図１】
0004043182.tif 000002
【図２】
0004043182.tif 000003
【図３】
0004043182.tif 000004
【図４】
0004043182.tif 000005
【図５】
0004043182.tif 000006
【図６】
0004043182.tif 000007
【図７】
0004043182.tif 000008